(57)【要約】【課題】  羽根車の上流側に配置された吸込管内に確実に空気が流入するようにした、特に先行待機運転に適する立軸ポンプを提供する。【解決手段】  縦方向の回転軸２１により回転する羽根車２０と、羽根車２０の上流側に配置され、羽根車２０に向けて水を流す第１の流路３６を形成する吸込管３１と、吸込管３１に一端が接続された空気管６０ａとを備え、吸込管３１には、空気管６０ａを通して第１の流路３６を流れる水に空気を吸い込ませる吸気口５１ａが形成されており、吸込管３１は、吸気口５１ａの下流側から上流側に水を逆流させる第２の流路３７ｃを有する立軸ポンプ。【選択図】図１
2005090446.tif 000002
【特許請求の範囲】
【請求項１】
縦方向に配置される回転軸により回転し、水槽内の水を吸い込む羽根車と；
前記羽根車の上流側に配置され、前記羽根車に向けて前記水を流す第１の流路を形成する吸込管と；
前記吸込管に一端が接続され、他端が前記水槽内の最高水位よりも上方に開口する空気管とを備え；
前記吸込管には、前記空気管の前記一端が接続された吸気口であって、前記吸込管内の圧力の低下に応じて前記空気管と前記吸気口とを通して前記第１の流路を流れる水に空気を吸い込ませる吸気口が形成されており、
前記吸込管は、前記第１の流路の前記吸気口に対して下流側から上流側に水を逆流させる第２の流路を有する；
立軸ポンプ。
【請求項２】
前記吸込管は、前記第１の流路を形成する第１のケーシング壁と、前記第１のケーシング壁の外側を囲み、前記第１のケーシング壁との間に前記第２の流路を形成する第２のケーシング壁を有する、請求項１に記載の立軸ポンプ。
【請求項３】
前記第２の流路は、前記吸込管の前記吸気口に対して下流側と上流側とを接続する連結管により構成された、請求項１に記載の立軸ポンプ。
【請求項４】
前記吸込管の、前記吸気口と前記羽根車との間には、前記吸込管の外周側に突出した環状の水集合室が形成され、前記連結管の一端は前記水集合室に接続された、請求項３に記載の立軸ポンプ。
【発明の詳細な説明】
【技術分野】
【０００１】
本発明は、吸込管を有する立軸ポンプに関し、特に先行待機運転に適する立軸ポンプに関するものである。
【背景技術】
【０００２】
従来から図３に示すように、縦方向に配置された軸の先端に羽根車２を備え、羽根車２に水と共に空気を吸い込ませることにより、吸込水槽１の最低運転水位ＬＷＬ以下でも運転を継続することを可能にした立軸ポンプ３があった。このポンプ３では、羽根車２入口側の吸込管４に貫通孔５を設け、貫通孔５に、外気に開口した空気管６を取付け、最高水位ＨＷＬより低い最低運転水位ＬＷＬ以下で、貫通孔５を経て流入する空気の流入量を水位に応じて変化させて徐々に排水量を低下するようにしていた。
【０００３】
このようにして、例えば大都市の雨水排水用として、吸込水位に関係なく降雨情報等により予めポンプを始動しておき、低水位から水位が上昇するときは空運転から水量を徐々に増やしながら全量運転へ、また高水位から水位が低下するときは全量運転から水量を徐々に減らしながら空運転へと、スムーズに運転を移行できるようにしていた。このようなポンプは、ケーシング下端よりも低い水位ＬＬＬＷＬで始動される（例えば、特許文献１参照）。
【特許文献１】実開平３−５６８９５号公報（第１図、第２図、第３図、第５図）
【発明の開示】
【発明が解決しようとする課題】
【０００４】
以上のような従来のポンプでは、ポンプの吐出し流量が設計点付近のときは問題ないが、設計点より小水量側においては、羽根車２の外周側に吐出側から吸込側への逆流が生じる。そのため、吸込管４内に軸方向の流れの他に軸回りの旋回流が生じ、この旋回流は吸込管４の内面付近に正圧を生じさせる。この正圧が、前記揚水の流速ｖによる負圧を打ち消してしまい、水槽の水位が高水位から低下して最低運転水位ＬＷＬ以下になっても、期待通りに貫通孔５を経て空気が流入しなかったり、流入する空気量が少な過ぎたりして、運転の移行がスムーズに行えないという問題があった。
【０００５】
そこで本発明は、羽根車の上流側に配置された吸込管内に確実に空気が流入するようにした、特に先行待機運転に適する立軸ポンプの提供を目的としている。
【課題を解決するための手段】
【０００６】
上記目的を達成するために、請求項１に係る発明による立軸ポンプ１０は、例えば図１に示されるように、縦方向に配置される回転軸２１により回転し、水槽１内の水を吸い込む羽根車２０と；羽根車２０の上流側に配置され、羽根車２０に向けて前記水を流す第１の流路３６を形成する吸込管３１と；吸込管３１に一端が接続され、他端６１が水槽１内の最高水位ＨＷＬよりも上方に開口する空気管６０ａとを備え；吸込管３１には、空気管６０ａの前記一端が接続された吸気口５１ａであって、吸込管３１内の圧力の低下に応じて空気管６０ａと吸気口５１ａとを通して第１の流路３６を流れる水に空気を吸い込ませる吸気口５１ａが形成されており、吸込管３１は、第１の流路３６の吸気口５１ａに対して下流側から上流側に水を逆流させる第２の流路３７ｃを有する。
【０００７】
吸気口５１ａは、典型的には、空気室等を介さず流路３６に直接開口している。
【０００８】
また請求項２に記載のように、請求項１に記載の立軸ポンプでは、吸込管３１は、第１の流路３６を形成する第１のケーシング壁３１−１と、第１のケーシング壁３１−１の外側を囲み、第１のケーシング壁３１−１との間に第２の流路３７ｃを形成する第２のケーシング壁３１−２を有する。
【０００９】
吸込管３１は、典型的には、第１のケーシング壁３１−１と第２のケーシング壁３１−２とで、二重管構造に構成されている。
【００１０】
また請求項３に記載のように、請求項１に記載の立軸ポンプでは、第２の流路３７ｃは、吸込管３１の吸気口５１ａに対して下流側と上流側とを接続する連結管３８ａにより構成してもよい（例えば図２参照）。連結管は、典型的には複数（３８ａ、３８ｂ）備えられる。
【００１１】
また請求項４に記載のように、請求項３に記載の立軸ポンプでは、吸込管３１の、吸気口５１ａと羽根車２０との間には、吸込管３１の外周側に突出した環状の水集合室４１が形成され、連結管３８ａの一端は水集合室４１に接続されるようにしてもよい。
【発明の効果】
【００１２】
本発明の立軸ポンプは、空気管を備えるので吸込管内の圧力の低下に応じて第１の流路を流れる水に空気を吸い込ませ、流量を滑らかに変えることができる。また吸込管は、第１の流路の吸気口に対して下流側から上流側に水を逆流させる第２の流路を有するので、吸込管中の旋回流の吸気口に対する影響を抑えることができる。したがって、吸込管内に確実に空気が流入するようにできるという利点がある。
【００１３】
また吸込管が、第１の流路を形成する第１のケーシング壁と、第１のケーシング壁の外側を囲み、第１のケーシング壁との間に第２の流路を形成する第２のケーシング壁を有するときは、第２の流路を通して旋回流を逆流させることができる。
【００１４】
また第２の流路が、吸込管の吸気口に対して下流側と上流側とを接続する連結管により構成されるときは、連結管を通して旋回流を逆流させることができる。
【００１５】
また吸込管の、吸気口と羽根車との間に、吸込管の外周側に突出した環状の水集合室が形成され、連結管の一端が水集合室に接続されるときは、水集合室で旋回流を均一に集めることができる。
【発明を実施するための最良の形態】
【００１６】
以下、本発明の実施の形態について、図面を参照して説明する。なお、各図において互いに同一あるいは相当する部材には同一符号あるいは類似符号を付し、重複した説明は省略する。
【００１７】
図１の断面図を参照して、本発明の第１の実施の形態である立軸ポンプを説明する。本立軸ポンプ１０は、先行待機運転用のポンプである。
【００１８】
先行待機運転、特に全速先行待機運転とは雨水がポンプ吸水槽に流入する前にあらかじめポンプを始動し、水位Ｌ（Level）の上昇にしたがって排水を始め、水位が低下してもポンプを停止させずに全速で運転することである。排水を始めても、立軸ポンプ１０は直ちに要項点の水量を吐出するわけではない。要項点水量を吐出せずに運転を可能とするため、水と一緒に空気を吸い込ませる。
【００１９】
図を参照して立軸ポンプ１０の構造を説明する。立軸ポンプ１０は、鉛直方向に上から配列された揚水管ケーシング（ケーシング本体）３３、ライナケーシング３２、吸込管（吸込ベル）３１を備える。それぞれは水平方向のフランジで締結されている。これらが広い意味のケーシングを構成している。
【００２０】
該ケーシングの中心に縦方向（鉛直方向）に回転軸２１が配設され、回転軸２１の下方先端にオープン型の羽根車２０が取りつけられている（クローズ型であってもよい）。羽根車２０の外周（オープン羽根の先端）と僅かな隙間をもってライナケーシング３２が羽根車２０を収納している。立軸ポンプ１０は斜流ポンプである。斜流ポンプは吐出ヘッドが比較的大きい場合に用いられる。また羽根車２０の吐出側、ケーシング本体３３の内側にはガイドベーン３５が配設されている。
先行待機運転用のポンプとしては、不図示の軸流ポンプが用いられることもある。軸流ポンプは、吐出ヘッドに対して流量が比較的大きい場合に適する。
【００２１】
ケーシング本体３３は、回転軸２１と平行に垂直方向の管胴部分と、上方で水平方向に曲がった曲管部とそれに連なる水平管部分とを含んで構成され、曲管部分を、回転軸２１が貫通している。該貫通部には軸受２２ｃと不図示のシールが配設されている。回転軸は、羽根車２０近傍に配設された軸受２２ａと前記軸受２２ｃ、さらに両軸受の中間に配設された軸受２２ｂで３点支持されている。また、不図示のスラスト軸受が回転軸２１にかかる鉛直方向の荷重（即ち羽根車２０、回転軸２１を含む回転体の重量と羽根車２０にかかる流体力）を支持している。
【００２２】
ケーシング本体３３には、据え付け用のフランジが取り付けられており、該フランジで据え付け台であるコンクリート製の床２に据え付けられている。ケーシング本体３３の前記水平管部分にはフランジが取りつけられており、該フランジにより、吐出配管３４と接続されている。吐出配管３４は雨水を河川や海等に導いて排出するための配管である。
【００２３】
羽根車２０の先端よりも下方に位置する、吸込管３１は二重管構造を有する。すなわち、吸込管３１は第１の流路３６を形成する第１のケーシング壁３１−１と、その外側を囲む第２のケーシング壁３１−２とを備え、第１のケーシング壁３１−１と第２のケーシング壁３１−２との間には、第２の流路３７ｃが形成されている。第２の流路３７ｃは、鉛直方向の上方から見た平面断面図（不図示）では、円環状に形成されている。
【００２４】
羽根車２０と吸込管３１の下端（吸込ベルの吸込端）との間の第１のケーシング壁３１−１には、第１のケーシング壁３１−１の内側に空気を吸い込む吸気口５１ａが形成されている。吸気口５１ａには、空気管６０ａの一端が接続されている。空気管６０ａの他端６１は水槽１内の最高水位ＨＷＬよりも上方に開口している。最高水位ＨＷＬは、水槽１において最も水位が上昇し得る水位、即ち水槽１の許容水位と呼んでもよい。空気管６０ａの他端６１は水槽１内に開口しているので、水槽１内に下水が流入するようなことがあっても臭気が水槽外に漏れることがない。また空気管６０ａの他端６１は水槽１内の最高水位ＨＷＬよりも上方に開口しているので、空気管６０ａに水中の浮遊物が吸い込まれることがない。
【００２５】
空気管６０ａは、第２のケーシング壁３１−２と第２の流路３７ｃを貫通し、第１のケーシング壁３１−１に形成された吸気口５１ａに接続されている。第２のケーシング壁３１−２は、ケーシング外壁を構成しており、全体として、ライナケーシング３２、そしてケーシング本体３３に接続されている。したがって第１のケーシング壁３１−１は、空気管６０ａにより第２のケーシング壁３１−２に支持されている。本実施の形態では、第１のケーシング壁３１−１と第２のケーシング壁３１−２との間の、第２の流路３７ｃには、複数の支持リブ３７ｄが形成され、これによっても、第１のケーシング壁３１−１は、第２のケーシング壁３１−２に支持されている。
【００２６】
空気管６０ａは、第２の流路３７を貫通する部分は、第１のケーシング壁３１−１及び第２のケーシング壁３１−２と一体である。
【００２７】
本実施の形態では、２本の空気管６０ａ、６０ｂ及び２個の吸気口５１ａ、５１ｂが図示されているが、それぞれ３本あるいは３個以上としてもよい。数を多くすれば、例えば４本、４個以上とすれば、空気が均一に水に吸い込まれるので好適である。
【００２８】
第２の流路３７ｃは、吸気口５１ａ、５１ｂの下流側で、吸込管３１に形成された下流側開口３７ａにより、また上流側で、吸込管３１に形成された上流側開口３７ｂにより、吸込管３１内の第１の流路３６と連通している。
【００２９】
羽根車２０は、後述の最低水位ＬＷＬよりも下方に配置されている。羽根車２０の本体部分全体、又は少なくともその一部、特にそこまで水位があれば羽根車２０が水を吸い上げる先端部が最低水位ＬＷＬよりも下方に配置されている。
【００３０】
次にポンプ１０の高さ方向の構造と水位の関係を説明する。水位ＨＷＬは前述のように、水槽１の許容水位である。水位Ｌがこれ以上に上昇することはない。その下方に最低水位ＬＷＬがある。これは、ポンプ固有の値であり、水位がこれ以下になると何らかの問題が起こりポンプの運転が継続できなくなる水位である。典型的には、それ以下では吸込管３１の下端から渦状に空気を吸い込み始める水位である。本実施の形態では、空気管６０により、低水位での運転を可能にしている。しかし水位ＬＷＬは渦状の空気吸込以外の条件で定まる場合もある。
【００３１】
設計上の最低水位Ｌｄは、水位ＬＷＬと少なくとも等しく、通常はそれよりも高くなるようにする。
【００３２】
設計上の最低水位Ｌｄ乃至は最低水位ＬＷＬの下方には、羽根車２０の吸込開始水位ＳＬＷＬがある。この水位は、羽根車２０の先端部分の水位に相当する。低い水位から水位が上昇して、羽根車２０が水に接すると、気水攪拌が開始され間もなく水が吐出されるからである。
【００３３】
吸込開始水位ＳＬＷＬの下方には、吸気口５１ａの高さに相当する吸気口水位Ａ１がある。これは吸気口５１ａの上側端部に相当する。水位Ｌが低下して、水位ＬＷＬに到ると、水位Ｌよりも負圧分ｈだけ低い空気管６０ａ中の水位がこの水位Ａ１になり、空気管６０ａを通して吸込管３１に空気が吸い込まれ始める。
【００３４】
吸気口水位Ａ１の下方には、吸込管３１の先端の水位Ａ２がある。
【００３５】
さらに図１を参照して、立軸ポンプ１０の作用を説明する。先ず水位がＡ２よりも低い状態で立軸ポンプ１０を始動する。例えば川の上流で大雨が降ったとの降雨情報が入った場合等、ある時間の後に水位が急に上昇することが予測される。そのような場合に、水位がＡ２よりも下の状態で、先行待機運転用の立軸ポンプ１０が始動される。先行待機運転の開始である。
【００３６】
雨水の流入により水槽内の水位Ｌが上昇し、吸込ベルの下端水位Ａ２を越える。水位が水位Ａ１を越えても、まだ水は吸い上げられない。羽根車２０は空転している。
【００３７】
水位Ｌがさらに上昇して、水位ＳＬＷＬまで到達したところで、羽根車２０は気水攪拌を開始する。そして水を吸い込み始める。このときは、空気管６０を通し、吸気口５１ａから、吸込管３１内に、水と一緒に空気も吸い込むのでポンプは要項点の全水量吐出の運転ではない。即ち、立軸ポンプ１０は気水混合運転をしている。さらに水位Ｌが上昇すると徐々に吸込空気量は減少し、代わりに水量が増加する。やがて水位Ｌが水位ＬＷＬまで上昇すると空気の吸込量がゼロになり、（そのときのＱＨカーブ（後述）上のＨ次第であるが）要項点の全水量を吐出するに至る。即ち、定常運転に入る。
【００３８】
さらに水位が、水位ＬＷＬと水位ＨＷＬの間の水位まで上昇して、ポンプ１０は定常運転を継続する。その後、ポンプ１０の排水により今度は水位Ｌが低くなってゆくと、水位ＬＷＬで（空気管６０ａ、６０ｂ中の水位が吸気口水位Ａ１に到るので）空気管６０ａ、６０ｂを通して空気を吸い込み始める。即ち、再び気水混合運転が開始される。水位Ｌが低下するにつれて吸込空気量が増えて、代わりに水量が減ってゆく。さらに水位Ｌが下がり、水位Ａ１付近になると水の吸込みが終わり、羽根車２０は空気中で運転される空運転状態になる。即ち、ポンプ１０は全く水を吸い込まないエアロック状態となる。
【００３９】
このようにして、羽根車２０は空気中での空転状態を続けることになる。降雨が続くときは、そのまま運転を続け、再び水位Ｌが上昇してきて、前記のように水位ＳＬＷＬに到達したところでポンプ１０は水を吸い込み始める。このようにして、先行待機運転用ポンプ１０は、水槽１の水位にかかわらず、空運転と要項点全水量の運転との間で運転を継続することができる。空運転と要項点全水量運転との間の移り変わりは、ポンプが空気も一緒に吸い込むのでなめらかに行われる。
【００４０】
前述のように雨水の流入により水槽内の水位Ｌが上昇して、水位がＡ１を越えても、まだ水は吸い上げられないが、水位低下直後で羽根車２０の上方に水が溜まっている間に再び水位が上昇したときは吸気口の高さである水位Ａ１で水の吸い上げが始まる。
【００４１】
以上のような先行待機運転ポンプは、機場には通常複数台設置されている。そのような機場の運転において、水位の増加に伴って１台のポンプでは排水量が不足する場合には、次々に他のポンプを起動するなどして複数台の運転に入る。
【００４２】
次に、第２の流路３７ｃの作用を説明する。ポンプ吐出量が要項点流量よりも小さいと、羽根車２０の外周側に逆流が発生する。本実施の形態によれば、発生した逆流は、下流側開口３７ａから第２の流路３７ｃに吸い込まれ、上流側開口３７ｂから第１の流路を流れる水流に合流する。逆流が発生すると、前述のように羽根車２０の吸込側近傍に旋回流が生じ、その遠心力により逆流は下流側開口３７ａに流入する。
【００４３】
本実施の形態によれば、第２の流路３７ｃが吸込管３１内の旋回流を防止してくれるので、正圧ｈｐがほぼゼロまたは十分に小さくなり、水位ＬがＬｄになったとき空気の吸込が可能となる。または、水位ＬがＬｄよりもあまり下回らないところで空気を吸い込むことができる。
【００４４】
図２の部分断面図を参照して、本発明の第２の実施の形態を説明する。図中、第２の流路としての複数（２本を図示）の連結管３８ａ、３８ｂが、吸込管３１の吸気口５１ａ、５１ｂに対して下流側と上流側とを接続している。連結管は、２本以上とするのがよく、例えば４〜８本とする。連結管を複数とすれば、逆流する水を吸込管３１の上流側に均一に戻すことができる。
【００４５】
また、吸込管３１の、吸気口５１ａ、５１ｂと羽根車２０との間には、吸込管３１の本体部分の外周側に突出した環状の水集合室４１が形成され、連結管３８ａ、３８ｂの一端３９ａ、３９ｂは水集合室４１に接続され、他端４０ａ、４０ｂは、吸気口５１ａ、５１ｂの上流側で吸込管３１本体部分に接続されている。
【００４６】
さらに具体的には、水集合室４１は、ケーシングを回転軸２１（又は同軸の延長）の軸線回りに囲む円環状の空洞として形成されている。本実施の形態では、吸込管３１の羽根車２０の吸込側直前に形成されている。ケーシングライナ３２のすぐ下方、羽根車２０の先端よりもすぐ下方に位置する。また水集合室４１は、吸込管３１を形成するケーシング壁の内面を囲み、該内面よりも外側に形成されている。
【００４７】
水集合室４１を設けると、羽根車２０からの逆流水が吸込管３１の内面の全周で、連結管３８ａ、３８ｂに吸い込まれるので都合がよい。特に円環状の水集合室４１を円周方向に流れる水の流れ抵抗が無視できる程度に、水集合室４１の断面積を十分にとることができるときは、連結管３８ａ、３８ｂは２本程度でよいが、好ましくは４本以上とする。連結管を複数本でできるだけ多くすれば、水集合室４１の断面積を比較的小さくすることができる。
【００４８】
先行待機運転ポンプの気水混合運転では、ＱＨカーブ上でポンプ運転点は小水量側に寄って行く。軸流又は斜流ポンプの場合、運転点が小水量側へ寄ると、全揚程及び軸動力が高くなる傾向がある。
従来、旋回流の防止のために、特に吸込管（吸込ベル）内面に旋回防止用のリブを取り付ける技術があったが、旋回防止用リブを設けると、小水量側運転時又は締切運転時に、更に軸動力は高くなりがちである。このため出力の大きな原動機を必要とし、省エネ、コスト低減という観点から不利であった。
また空気管を吸込管の中央部まで突起させる方法がとられていた。このようにすると、空気を吸い込む必要のない水位での運転では、無駄な水頭損失を与えることになり、ポンプ性能を低下させていた。
【００４９】
本実施の形態によれば、旋回防止板を吸込管のケーシング壁の内面に設けなくてもよいので、気水混合運転時のポンプ軸動力上昇を抑制し、少ないエネルギーでの運転が可能となる。また流路に余計な突起を設ける必要もなく、水頭損失も抑えることができる。但し、旋回防止の要請が大きいときは、第２の流路に加えて旋回防止板（不図示）を設けてもよい。
【００５０】
以上説明したように、本発明の実施の形態によれば、逆流による圧力の高い領域がケーシングの外側に分離され、逆流状態でも空気が問題なく吸入される。また通常運転状態では、吸込管の内側に旋回防止板や突起物を設ける必要がないので、性能低下がなく、さらには締切運転を行う場合でも駆動機の定格動力を必要以上に大きくする必要がない。
【産業上の利用可能性】
【００５１】
本発明の立軸ポンプは、空気管を備えるので吸込管内の圧力の低下に応じて第１の流路を流れる水に空気を吸い込ませ、流量を滑らかに変えることができ、また吸込管は、第１の流路の吸気口に対して下流側から上流側に水を逆流させる第２の流路を有するので、吸込管中の旋回流を抑えることができ、吸込管内に確実に空気が流入するようにできるという利点がある。したがって、先行待機運転用の立軸ポンプとして適している。
【図面の簡単な説明】
【００５２】
【図１】本発明の第１の実施の形態である立軸ポンプの正面断面図である。
【図２】本発明の第２の実施の形態を説明する部分正面断面図である。
【図３】従来の立軸ポンプの正面断面図である。
【符号の説明】
【００５３】
１０  立軸ポンプ
２０  羽根車
２１  回転軸
３０  ケーシング
３１  吸込管
３１−１  第１のケーシング壁
３１−２  第２のケーシング壁
３６  第１の流路
３７ａ  下流側開口
３７ｂ  上流側開口
３７ｃ  第２の流路
３７ｄ  支持リブ
３８ａ、３８ｂ  連結管
３９ａ、３９ｂ  空気室側開口
４０ａ、４０ｂ  上流側開口
４１  水集合室４１
５１  吸気口
６０  空気管
６１  開放端
ＨＷＬ  最高水位
Ｌｄ  設計水位
ＬＷＬ  最低水位
ＳＬＷＬ  羽根車の吸込開始水位
Ａ１  吸気口水位
Ａ２  吸込管下端水位
【図１】
2005090446.tif 000003
【図２】
2005090446.tif 000004
【図３】
2005090446.tif 000005